(57)【要約】【課題】外部からのノイズ電流を好適に除去し得る携帯端末を提供する。【解決手段】各接地端子５３ａ〜５３ｄは、筐体１１の長手方向に沿う全ての外面１１ａ〜１１ｄ毎にそれぞれ設けられて、その外面を下面として当該携帯端末１０を載置面、例えば作業台や机面等に載置するときこの載置面と接触する部位に露出するように形成されている。そして、各導通部５４ａ〜５４ｄにより、負側充電端子５２に対して各接地端子５３ａ〜５３ｄがそれぞれ電気的に接続されている。【選択図】図３
2011233235.tif 000002
【特許請求の範囲】
【請求項１】
外部装置と電気的に接続するための接続端子が外部に露出する携帯端末において、
筐体の長手方向に沿う全ての外面毎にそれぞれ設けられる接地端子であってその外面を下面として当該携帯端末を載置面に載置するときこの載置面と接触する部位にて露出する接地端子と、
前記接続端子に対して前記各接地端子をそれぞれ電気的に接続するための導通部と、
を備えることを特徴とする携帯端末。
【請求項２】
前記導通部は、前記接続端子および前記接地端子を直線的に接続するように配置されることを特徴とする請求項１に記載の携帯端末。
【請求項３】
前記全ての外面のうち隣接する面にてそれぞれ露出する前記接地端子同士を互いに近接させて電気的に接続し、これら接地端子のいずれか一方のみを前記導通部を介して前記接続端子に電気的に接続することを特徴とする請求項１または２に記載の携帯端末。
【請求項４】
前記筐体の一部を覆って保護する緩衝部材を備え、
前記各接地端子の少なくともいずれか１つは、前記緩衝部材に形成される開口部から露出することを特徴とする請求項１〜３のいずれか一項に記載の携帯端末。
【請求項５】
前記接続端子は、一対の充電端子であって、一方の充電端子が前記各導通部を介して前記各接地端子にそれぞれ接続され、この一方の充電端子と他方の充電端子とがコンデンサにより容量結合されることを特徴とする請求項１〜４のいずれか一項に記載の携帯端末。
【発明の詳細な説明】
【技術分野】
【０００１】
本発明は、接続端子が外部に露出する携帯端末に関する。
【背景技術】
【０００２】
従来、電子機器に対する外部からのノイズ電流、例えば、静電気ノイズや雷サージノイズの電流の除去に関する技術として、下記特許文献１に示すカード式ゲートターミナルが知られている。このゲートターミナルでは、そのカード挿入口と後段のカードリーダ／ライタとの間のカード通路の途中に、カードに帯電している静電気の除去手段として、カード通路を通過するカードに接触するよう配置した接地電極が設けられ、カード挿入口から差し入れたカードに帯電している静電気を搬送途中で接地電極に放電させてカードから除去する。これにより、カードを、静電気の帯電してない状態でカードリーダ／ライタに送りこんで、静電気に起因する誤動作などのトラブル発生を回避している。
【先行技術文献】
【特許文献】
【０００３】
【特許文献１】特開平０８−００７０４８号公報
【発明の概要】
【発明が解決しようとする課題】
【０００４】
ところで、据え置き型の電子機器（端末）では、大地などの接地面との配置関係が決まっているので、上述のような接地電極および接地面等を介してノイズ電流を大地に逃がす構造を容易に構成することができる。しかしながら、携帯型の端末では、使用者がその端末を接地面等に対してどのように置くか不明である場合が多いため、アース端子は設けられていなかった。そのため、ノイズ電流が発生しやすい携帯端末では、外部に露出する接続端子等を介してノイズ電流が筐体内に流れ込むことを前提に、筐体内にてノイズ電流を放電等するための装置を設ける必要があるという問題があった。
【０００５】
本発明は、上述した課題を解決するためになされたものであり、その目的とするところは、外部からのノイズ電流を好適に除去し得る携帯端末を提供することにある。
【課題を解決するための手段】
【０００６】
上記目的を達成するため、特許請求の範囲に記載の請求項１の携帯端末では、外部装置と電気的に接続するための接続端子が外部に露出する携帯端末において、筐体の長手方向に沿う全ての外面毎にそれぞれ設けられる接地端子であってその外面を下面として当該携帯端末を載置面に載置するときこの載置面と接触する部位にて露出する接地端子と、前記接続端子に対して前記各接地端子をそれぞれ電気的に接続するための導通部と、を備えることを特徴とする。
【０００７】
請求項２の発明は、請求項１に記載の携帯端末において、前記導通部は、前記接続端子および前記接地端子を直線的に接続するように配置されることを特徴とする。
【０００８】
請求項３の発明は、請求項１または２に記載の携帯端末において、前記全ての外面のうち隣接する面にてそれぞれ露出する前記接地端子同士を互いに近接させて電気的に接続し、これら接地端子のいずれか一方のみを前記導通部を介して前記接続端子に電気的に接続することを特徴とする。
【０００９】
請求項４の発明は、請求項１〜３のいずれか一項に記載の携帯端末において、前記筐体の一部を覆って保護する緩衝部材を備え、前記各接地端子の少なくともいずれか１つは、前記緩衝部材に形成される開口部から露出することを特徴とする。
【００１０】
請求項５の発明は、請求項１〜４のいずれか一項に記載の携帯端末において、前記接続端子は、一対の充電端子であって、一方の充電端子が前記各導通部を介して前記各接地端子にそれぞれ接続され、この一方の充電端子と他方の充電端子とがコンデンサにより容量結合されることを特徴とする。
【発明の効果】
【００１１】
請求項１の発明では、接地端子は、筐体の長手方向に沿う全ての外面毎にそれぞれ設けられて、その外面を下面として当該携帯端末を載置面、例えば作業台や机面等に載置するときこの載置面と接触する部位に露出するように形成されている。そして、各導通部により、接続端子に対して各接地端子がそれぞれ電気的に接続されている。
【００１２】
これにより、当該携帯端末を載置面に載置するとき、前記各接地端子の少なくともいずれか１つが当該載置面に接触することとなる。このように接触する接地端子は、導通部を介して接続端子に接続されているため、接続端子に流れ込んだノイズ電流が導通部を介して載置面に接触する接地端子から放電されるので、外部からのノイズ電流の除去を好適に実施することができる。
【００１３】
請求項２の発明では、導通部は、接続端子および接地端子を直線的に接続するように配置されるため、接続端子および接地端子の接続距離が短くなり当該導通部のインピーダンスが低減されるので、ノイズ電流が導通部を流れやすくなり、外部からのノイズ電流の除去をより確実に実施することができる。
【００１４】
請求項３の発明では、全ての外面のうち隣接する面にてそれぞれ露出する接地端子同士が、互いに近接させて電気的に接続され、これら接地端子のいずれか一方のみが導通部を介して接続端子に電気的に接続される。これにより、隣接する２つの面に設けられる接地端子に対して１つの導通部を接続するだけでよいので、導通部の引き回しが簡素化されて製造コストを低減することができる。
【００１５】
請求項４の発明では、各接地端子の少なくともいずれか１つは、筐体を保護する緩衝部材に形成される開口部から露出している。緩衝部材は、携帯端末を載置面に載置するとき、確実に載置面に接触するように構成されるので、この緩衝部材に形成される開口部から接地端子を露出させることで、この接地端子と載置面とを確実に接触させることができる。
【００１６】
請求項５の発明では、接続端子を構成する一方の充電端子が各導通部を介して各接地端子にそれぞれ接続され、この一方の充電端子と他方の充電端子とがコンデンサにより容量結合されるので、一方の充電端子だけでなく他方の充電端子に対しても外部からのノイズ電流の除去を好適に実施することができる。
【図面の簡単な説明】
【００１７】
【図１】本発明の第１実施形態に係る携帯端末を概略的に例示する斜視図である。
【図２】図２（Ａ）は、図１の携帯端末の電気的構成を概略的に例示するブロック図であり、図２（Ｂ）は、情報コード読取部の構成を説明する説明図である。
【図３】図３（Ａ）は、緩衝用ゴムを取り付けた状態での後側面を示す説明図であり、図３（Ｂ）は、緩衝用ゴムを外した状態での後側面を示す説明図である。
【図４】右側面を下面として当該携帯端末を載置面に載置した状態を示す説明図である。
【図５】第１実施形態の変形例に係る携帯端末を示す斜視図である。
【図６】本発明の第２実施形態に係る携帯端末の要部を示す説明図であり、図６（Ａ）は、緩衝用ゴムを取り付けた状態での後側面を示し、図６（Ｂ）は、緩衝用ゴムを外した状態での後側面を示す。
【発明を実施するための形態】
【００１８】
［第１実施形態］
以下、本発明の携帯端末を具現化した第１実施形態について、図面を参照して説明する。なお、図１は、本発明の第１実施形態に係る携帯端末１０を概略的に例示する斜視図である。図２（Ａ）は、図１の携帯端末１０の電気的構成を概略的に例示するブロック図であり、図２（Ｂ）は、情報コード読取部３０の構成を説明する説明図である。図３（Ａ）は、緩衝用ゴム６０を取り付けた状態での後側面１１ｅを示す説明図であり、図３（Ｂ）は、緩衝用ゴム６０を外した状態での後側面１１ｅを示す説明図である。
【００１９】
図１に示す携帯端末１０は、ユーザによって携帯されて様々な場所で用いられるものであり、バーコードや二次元コードなどの情報コードを読み取る情報コードリーダとしての機能や光通信機能等を有している。
【００２０】
図１に示すように、携帯端末１０は、全体的に長手状に構成されており、長手状の筐体１１によって外郭が構成され、この筐体１１の内部に各種部品（各種電気部品等）が収容されている。筐体１１は、例えば樹脂材料などからなる複数のケース体によって構成され、これらが結合した箱状形態をなしている。本第１実施形態では、筐体１１の長手方向を前後方向とし、後述する充電端子５１，５２が形成された側を後方側、それとは反対側を前方側としている。また、筐体１１の厚さ方向を上下方向とし、キー操作部１４や表示装置１３が設けられた側を上方側、それとは反対側を下方側としている。また、これら前後方向及び上下方向と直交する方向を左右方向としている。すなわち、筐体１１は、長手方向に沿う４つ外面（上側面１１ａ，下側面１１ｂ，左側面１１ｃおよび右側面１１ｄ）と、前側面および後側面１１ｅとにより略箱状に形成されている。
【００２１】
筐体１１の前方側には情報コードからの反射光を取り込む読取口が形成されている。この読取口は、筐体１１の内部に光を取り込みうる開口形状となっており、その開口が透明部材（例えば透明の樹脂部材）によって閉塞された構成をなしている。また、携帯端末１０には、筐体１１から露出する形態で様々な部品が設けられている。例えば、上側面１１ａには、表示装置１３や、複数個の操作ボタン（数字キーや機能キー等）を有するキー操作部１４が設けられており、左側面１１ｃおよび右側面１１ｄには、読取指示用のトリガスイッチ１５（図１では図示略）などが設けられている。
【００２２】
次に、電気的構成について説明する。携帯端末１０における筐体１１の内部には、図２（Ａ）に示すように、携帯端末１０全体を制御する制御部２０が設けられている。この制御部２０は、マイコンを主体として構成されるものであり、ＣＰＵ、システムバス、入出力インターフェース等を有しており、メモリ２１と協働して情報処理手段として機能している。また、制御部２０には、表示装置１３、キー操作部１４、トリガスイッチ１５、および外部インターフェース１６なども接続されている。
【００２３】
表示装置１３は、例えば液晶表示器として構成されており、制御部２０からの指令を受けて様々な表示動作が行われるようになっている。キー操作部１４やトリガスイッチ１５は、制御部２０に対して操作信号を与える構成をなしており、制御部２０は、これらからの操作信号を受けて操作信号の内容に応じた各種制御を行う。外部インターフェース１６は、外部（例えばホスト装置）との間でのデータ通信を行うためのインターフェースとして構成されており、制御部２０と協働して通信処理を行うように構成されている。また、筐体１１内には、電源となる電池１７や電源部１８が設けられており、これらによって制御部２０や各種電気部品に電力が供給されるようになっている。
【００２４】
また、制御部２０には、情報コード読取部３０が接続されている。この情報コード読取部３０は、図２（Ｂ）に示すように、ＣＣＤエリアセンサ等の受光センサ３３、結像レンズ３７、複数個のＬＥＤやレンズ等から構成される照明部３１などを備えた構成をなしており、制御部２０と協働して読取対象Ｒに付された情報コードＣ（バーコードや二次元コード）を読み取るように機能する。
【００２５】
この情報コード読取部３０によって読み取りを行う場合、まず、制御部２０によって指令を受けた照明部３１から照明光Ｌｆが出射され、この照明光Ｌｆが読取口を通って読取対象Ｒに照射される。そして、照明光Ｌｆが情報コードＣ（バーコードや二次元コード）にて反射した反射光Ｌｒは、読取口を通って装置内に取り込まれ、結像レンズ３７を通って受光センサ３３に入射する。読取口と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ２１（図２（Ａ））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００２６】
更に、制御部２０には、ＩｒＤＡ部４０が接続されている。このＩｒＤＡ部４０は、規格化された公知のＩｒＤＡ通信方式で光無線データ通信を行うインターフェースとして構成されており、発光素子及び受光素子を有する光通信素子（ＩｒＤＡ通信モジュール）が筐体１１の後側面１１ｅに設けられる光通信用窓４１を介して光無線データ通信可能に配置されている。
【００２７】
図３（Ａ），（Ｂ）に示すように、筐体１１の後側面１１ｅのうち光通信用窓４１の近傍には、一対の平板状の充電端子（正側充電端子５１および負側充電端子５２）が外部に露出するように配置されている。これら両充電端子５１，５２は、筐体１１の外部からの電力を電池１７に供給する経路として機能する。また、両充電端子５１，５２は、コンデンサにより容量結合されている。なお、正側充電端子５１および負側充電端子５２は、特許請求の範囲に記載の「接続端子」または「一対の充電端子」の一例に相当し得る。
【００２８】
また、筐体１１の長手方向に沿う４つ外面である上側面１１ａ，下側面１１ｂ，左側面１１ｃおよび右側面１１ｄのうち後方側、すなわち、後側面１１ｅ近傍には、平板状の接地端子５３ａ〜５３ｄがそれぞれ露出するように設けられている。これら各接地端子５３ａ〜５３ｄは、後側面１１ｅ上などに配置される平板状の導通部５４ａ〜５４ｄを介してそれぞれ負側充電端子５２に電気的に接続されている（図３参照）。なお、各導通部５４ａ〜５４ｄは、筐体１１内に配置されてもよい。
【００２９】
筐体１１の後方側には、光通信用窓４１および両充電端子５１，５２を除き当該筐体１１の後方側を覆うことで当該携帯端末１０を落下等の衝撃から保護するための緩衝用ゴム６０が取り付けられている。これにより、携帯端末１０を机面等の載置面に載置するときには、緩衝用ゴム６０の上下側面および左右側面のいずれか１つが当該載置面に接触することとなる。なお、緩衝用ゴム６０は、特許請求の範囲に記載の「緩衝部材」の一例に相当し得る。
【００３０】
この緩衝用ゴム６０には、図３（Ａ）に示すように、上下側面および左右側面に開口部６０ａ〜６０ｄがそれぞれ設けられている。これら各開口部６０ａ〜６０ｄは、当該緩衝用ゴム６０を筐体１１の後方側に取り付けるとき、対応する接地端子５３ａ〜５３ｄがそれぞれ各開口部６０ａ〜６０ｄから露出するように形成されている。なお、図１では、便宜上、各接地端子５３ａ〜５３ｄ、各導通部５４ａ〜５４ｄおよび各開口部６０ａ〜６０ｄについては、図示を省略している。
【００３１】
図４は、右側面１１ｄを下面として当該携帯端末１０を載置面Ｓに載置した状態を示す説明図である。
このため、例えば、図４に例示するように、右側面１１ｄを下面として当該携帯端末１０を載置面Ｓに載置するとき、緩衝用ゴム６０の右側面が載置面Ｓに接触するとともにこの右側面から露出する接地端子５３ｄも当該載置面Ｓに接触することとなる。このように接触する接地端子５３ｄは、導通部５４ｄを介して負側充電端子５２に接続されているため、負側充電端子５２に流れ込んだノイズ電流が導通部５４ｄを介して載置面Ｓに接触する接地端子５３ｄから放電されることとなる。
【００３２】
以上説明したように、本第１実施形態に係る携帯端末１０では、各接地端子５３ａ〜５３ｄは、筐体１１の長手方向に沿う全ての外面（上側面１１ａ，下側面１１ｂ，左側面１１ｃおよび右側面１１ｄ）毎にそれぞれ設けられて、その外面を下面として当該携帯端末１０を載置面Ｓ、例えば作業台や机面等に載置するときこの載置面Ｓと接触する部位に露出するように形成されている。そして、各導通部５４ａ〜５４ｄにより、負側充電端子５２に対して各接地端子５３ａ〜５３ｄがそれぞれ電気的に接続されている。
【００３３】
これにより、負側充電端子５２に流れ込んだノイズ電流がいずれかの導通部５４ａ〜５４ｄを介して載置面Ｓに接触する接地端子５３ａ〜５３ｄのいずれかから放電されるので、外部からのノイズ電流の除去を好適に実施することができる。
【００３４】
また、本第１実施形態に係る携帯端末１０では、各接地端子５３ａ〜５３ｄは、筐体１１を保護する緩衝用ゴム６０に形成される開口部６０ａ〜６０ｄから露出している。これにより、緩衝用ゴム６０は、携帯端末１０を載置面Ｓに載置するとき、確実に載置面Ｓに接触するので、この緩衝用ゴム６０に形成される開口部６０ａ〜６０ｄから各接地端子５３ａ〜５３ｄをそれぞれ露出させることで、各接地端子５３ａ〜５３ｄのいずれかと載置面Ｓとを確実に接触させることができる。
【００３５】
さらに、本第１実施形態に係る携帯端末１０では、正側充電端子５１および負側充電端子５２は、コンデンサにより容量結合されているので、負側充電端子５２だけでなく正側充電端子５１に対しても外部からのノイズ電流の除去を好適に実施することができる。なお、各接地端子５３ａ〜５３ｄは、導通部５４ａ〜５４ｄを介して負側充電端子５２にそれぞれ電気的に接続されることに限らず、導通部５４ａ〜５４ｄを介して正側充電端子５１にそれぞれ電気的に接続されてもよい。この場合も、正側充電端子５１および負側充電端子５２をコンデンサにより容量結合した場合には、正側充電端子５１だけでなく負側充電端子５２に対しても外部からのノイズ電流の除去を好適に実施することができる。
【００３６】
図５は、第１実施形態の変形例に係る携帯端末１０を示す斜視図である。
上記第１実施形態の変形例として、接地端子５３ａ〜５３ｄは、全て開口部６０ａ〜６０ｄから露出することに限らず、一部または全部が緩衝用ゴム６０に保護されることなく載置面Ｓに接触する部位に配置されてもよい。具体的には、例えば、図５に例示するように、接地端子５３ｄが緩衝用ゴム６０に保護されることなく右側面１１ｄを下面としたとき載置面Ｓに接触する部位に配置されてもよいし、筐体１１の形状に応じて、他の接地端子が緩衝用ゴム６０に保護されることなく載置面Ｓに接触する部位に配置されてもよい。
【００３７】
なお、緩衝用ゴム６０を採用しない場合には、各接地端子５３ａ〜５３ｄは、各外面１１ａ〜１１ｄを下面として当該携帯端末１０を載置面Ｓに載置するときこの載置面Ｓと接触する部位にそれぞれ配置される。
【００３８】
［第２実施形態］
次に、本発明の第２実施形態に係る携帯端末について図６を参照して説明する。図６は、本発明の第２実施形態に係る携帯端末１０の要部を示す説明図であり、図６（Ａ）は、緩衝用ゴム６１を取り付けた状態での後側面１１ｅを示し、図６（Ｂ）は、緩衝用ゴム６１を外した状態での後側面１１ｅを示す。
【００３９】
本第２実施形態に係る携帯端末１０では、各接地端子、各導通部および緩衝用ゴムが上記第１実施形態と異なる。具体的には、隣接する上側面１１ａおよび左側面１１ｃに設けられる接地端子５３ａおよび接地端子５３ｃが、互いに近接させられて電気的に接続され導通部５４ｃを介して負側充電端子５２に接続されている。また、隣接する下側面１１ｂおよび右側面１１ｄに設けられる接地端子５３ｂおよび接地端子５３ｄが、互いに近接させられて電気的に接続され導通部５４ｄを介して負側充電端子５２に接続されている。なお、本第２実施形態では、上記第１実施形態にて採用された導通部５４ａ，５４ｂは廃止されている。
【００４０】
また、緩衝用ゴム６１は、筐体１１の後方側に取り付けられるとき、接地端子５３ａおよび接地端子５３ｃが露出するように開口部６１ａが形成され、接地端子５３ｂおよび接地端子５３ｄが露出するように開口部６１ｂが形成されている。
【００４１】
これにより、隣接する２つの面に設けられる２つの接地端子に対して１つの導通部を接続するだけでよいので、導通部の引き回しが簡素化されて製造コストを低減することができる。なお、隣接する上側面１１ａおよび右側面１１ｄに設けられる接地端子５３ａおよび接地端子５３ｄを互いに近接させて１つの導通部を介して負側充電端子５２に接続してもよいし、隣接する下側面１１ｂおよび左側面１１ｃに設けられる接地端子５３ｂおよび接地端子５３ｃを互いに近接させて１つの導通部を介して負側充電端子５２に接続してもよい。
【００４２】
なお、本発明は上記各実施形態に限定されるものではなく、以下のように具体化してもよく、その場合でも、上記各実施形態と同等の作用・効果が得られる。
（１）各接地端子５３ａ〜５３ｄは、導通部５４ａ〜５４ｄを介して一対の充電端子５１，５２に接続されること限らず、外部接続用のコネクタ等、外部装置と電気的に接続するために外部に露出している接続端子に接続されてもよい。これにより、上記接続端子に流れ込んだノイズ電流がいずれかの導通部５４ａ〜５４ｄを介して載置面Ｓに接触する接地端子５３ａ〜５３ｄのいずれかから放電されるので、外部からのノイズ電流の除去を好適に実施することができる。
【００４３】
（２）各導通部５４ａ〜５４ｄは、対応する接地端子と負側充電端子５２とを直線的に接続するように配置されてもよい。ここで、直線的な接続とは、筐体１１の外面に沿い両端子を最短距離で接続する場合と、筐体１１内に配置されて両端子を最短距離で接続する場合とが含まれるものとする。これにより、対応する接地端子と負側充電端子５２との接続距離が短くなり当該導通部のインピーダンスが低減されるので、ノイズ電流が導通部を流れやすくなり、外部からのノイズ電流の除去をより確実に実施することができる。
【００４４】
（３）緩衝用ゴム６０，６１に代えて、弾性材料からなる緩衝部材を採用することで、携帯端末１０を落下等の衝撃から保護してもよい。
【００４５】
（４）筐体１１において長手方向に沿う外面が３つまたは５つ以上で構成される場合には、全ての外面毎に接地端子が設けられ、各接地端子は、その外面を下面として当該携帯端末を載置面Ｓに載置するときこの載置面Ｓと接触する部位に露出するように形成される。また、これら各接地端子は、導通部を介して負側充電端子５２にそれぞれ接続される。このようにしても、負側充電端子５２に流れ込んだノイズ電流がいずれかの導通部を介して載置面Ｓに接触する接地端子から放電されるので、外部からのノイズ電流の除去を好適に実施することができる。
【符号の説明】
【００４６】
１０…携帯端末
１１…携帯端末
１１ａ…上側面
１１ｂ…下側面
１１ｃ…左側面
１１ｄ…右側面
１１ｅ…後側面
５１…正側充電端子（接続端子，他方の充電端子）
５２…負側充電端子（接続端子，一方の充電端子）
５３ａ〜５３ｄ…接地端子
５４ａ〜５４ｄ…導通部
６０，６１…緩衝用ゴム（緩衝部材）
６０ａ〜６０ｄ，６１ａ，６１ｂ…開口部
Ｓ…載置面
【図１】
2011233235.tif 000003
【図２】
2011233235.tif 000004
【図３】
2011233235.tif 000005
【図４】
2011233235.tif 000006
【図５】
2011233235.tif 000007
【図６】
2011233235.tif 000008